(57)【要約】【課題】  一般ユーザも、ハンディキャップユーザも現在よりも更に容易にサイズ変更を行うことができる給紙カセットの提供を目的とする。【解決手段】  ハンディキャップユーザに対する操作位置を一般ユーザの操作位置と別の箇所に設け、アイコンの刻印で目印とする構成を取る。【選択図】  図１
2008050080.tif 000002
【特許請求の範囲】
【請求項１】
画像形成のための用紙を載置する給紙トレイと、給紙トレイから送り出された用紙に画像を形成する画像形成部とを有する画像形成装置において、
前記給紙トレイは載置される用紙のサイズに応じてサイズ規制板の位置を移動することが可能であり、前記サイズ規制板を移動する際のハンディキャップユーザ向けの操作位置を一般ユーザの操作位置と別の位置に設けたことを特徴とするシート給送装置のユニット構成。
【請求項２】
前記ハンディキャップユーザ向けの操作位置は、前記サイズ規制板を前記給紙トレイに固定するロック部材上に設けられていることを特徴とする請求項１記載のシート給送装置のユニット構成。
【請求項３】
前記ロック部材に設けられている操作位置を押すと、前記サイズ規制板の前記給紙トレイへのロックを解除するとともに、サイズ規制板が移動することを特徴とする請求項１，２記載のシート給送装置のユニット構成。
【請求項４】
前記ハンディキャップユーザ向けの操作位置にアイコンを設け、操作の目印とすることを特徴とする請求項１〜３記載のシート給送装置のユニット構成。
【請求項５】
前記ハンディキャップユーザ向けの操作位置は円錐すり鉢形状であり、操作の目印であると同時に指で押しやすいことを特徴とする請求項１〜４記載のシート給送装置のユニット構成。
【発明の詳細な説明】
【技術分野】
【０００１】
本発明は、感光ドラム等に静電潜像を形成し、現像し、トナー像をシートに転写・定着する複写機、プリンタ、ファクシミリなどに用いられる着脱可能なユニット、およびそれを有する画像形成装置に関するものである。
【背景技術】
【０００２】
図５に従来の代表的な画像形成装置の概略断面図を示す。この画像形成装置は給紙トレイ１、シート積載台２、給紙ローラ３からなるシート給送装置を備えている。給紙トレイ１内のシート積載台２に積載された転写材Ｐは、給紙ローラ３により最上位の記録材から一枚ずつピックアップされ、搬送ローラ４、搬送コロ５によってレジスト部へと送られる。転写材はレジストローラ６とレジストコロ７からなるレジスト部で搬送方向を揃えられた後、画像形成部へと給送される。
【０００３】
画像形成部は、感光ドラム８と、感光ドラムを帯電させる帯電器、感光ドラム上の潜像をトナーで現像する現像器、感光ドラム上の残留トナーを除去し、収容するクリーナー等をトナーカートリッジ９としてユニット化して構成されている。レーザスキャナユニット１０は、多面体ミラー１１、多面体ミラー回転用モータ、レーザユニット等がユニット化されて構成されている。
【０００４】
レーザスキャナユニット１０から画像情報に基づくレーザ光Ｌが照射され、感光ドラム８上に露光し、潜像が電子写真方式で形成される。この潜像は現像手段により現像剤としてのトナーにより現像され、この現像されたトナー像は転写ローラ１２により、感光ドラム８上から搬送される転写材に転写される。
【０００５】
トナー像の転写を終えた転写材は加熱ユニット１３と加圧ローラ１４からなる定着ユニットに搬送され、ここで転写されたトナー像が加熱定着される。その後シートは中間排紙ローラ１５、排紙ローラ１６等からなる排紙ユニットにより排紙トレイ１７に排紙される。
【０００６】
図６に給紙トレイの構成を示す。給紙トレイは枠体２１と、左右一対の幅規制板２２ａ、２２ｂ、後端規制板２３等により構成されている。幅規制板および後端規制板は給紙トレイ枠体に対して移動可能に設置されており、ユーザが使用する用紙のサイズに応じて位置を動かすことが可能になっている。
【０００７】
後端規制板を動かすときの動作を図７、図８を用いて説明する。ユーザは後端規制板２３に設置された解除レバー２４をつまみ、後端規制板の給紙トレイ枠体へのロックを解除し、そのまま後端規制板全体をスライドさせて所定の位置まで移動させる。後端規制板と解除レバーには指でつまむ位置にそれぞれアイコン（凹凸形状）２５ａ、２５ｂが刻印されており、ユーザの視認性を高めている。
【０００８】
従来例としては、例えば特許文献１と特許文献２をあげることが出来る。
【特許文献１】特開平06-135575号公報
【特許文献２】特開2006-056673号公報
【発明の開示】
【発明が解決しようとする課題】
【０００９】
しかしながら、上記のような従来の画像形成装置においては、下記のような問題点が生じていた。
【００１０】
前述のように、通常は後端規制板を移動させるためにはまず解除レバーを指でつまむ動作を行うが、例えば手や指が不自由で物をつまむ動作を行うことができないユーザが後端規制板を移動させようとした場合には後端規制板ごと押す動作にて行うことになる。後端規制板を後方に移動させる場合（Ａ）は、解除レバーの一般ユーザが指でつまむ位置のアイコン２５ｂ付近を押すことによってレバーのロックが解除され、後端規制板が後方に動く。しかし、後端規制板を前方に移動させる場合（Ｂ）には後端規制板をつまむ位置にあるアイコン２５ａを押しても解除レバーのロックが解除されないため、後端規制板を移動させるのに大きな力が必要になってしまっていた。また、このように後端規制板をつまむ位置のアイコンを押して後端規制板を前方に移動させる場合には、後端規制板をスムーズに動かすことが容易ではなく、後端規制板を所定サイズの位置に合わせるためには注意を要していた。
【００１１】
本出願に係る発明は、上記の従来技術の問題点を解決するためになされたものであり、その目的とするところは一般ユーザのみならずハンディキャップを持つユーザにもサイズ変更の操作の容易な給紙トレイを提供することにある。
【課題を解決するための手段】
【００１２】
上記目的を達成するため、本発明の請求項１に係る発明は、サイズ規制板を移動する際のハンディキャップユーザ向けの操作位置を一般ユーザの操作位置と別の位置に設けたことを特徴とする。
【００１３】
本発明の請求項２に係る発明は、ハンディキャップユーザ向けの操作位置がサイズ規制板を給紙トレイに固定するロック部材上に設けられていることを特徴とする。
【００１４】
本発明の請求項３に係る発明は、ロック部材に設けられている操作位置を押すと、サイズ規制板の給紙トレイへのロックを解除するとともに、サイズ規制板が移動することを特徴とする。
【００１５】
本発明の請求項４に係る発明は、ハンディキャップユーザ向けの操作位置にアイコンを設け、操作の目印とすることを特徴とする。
【００１６】
本発明の請求項５に係る発明は、ハンディキャップユーザ向けの操作位置は円錐すり鉢形状であり、操作の目印であると同時に指で押しやすいことを特徴とする。
【発明の効果】
【００１７】
以上説明したように、載置される用紙のサイズに応じてサイズ規制板の位置を移動することが可能な給紙トレイの構成において、ハンディキャップユーザに対する操作位置を一般ユーザの操作位置とは別の箇所に設け、アイコンの刻印で目印とすることにより、つまむ操作を行わず、押す操作だけでサイズ規制板の位置を変えることが可能になり、一般ユーザもハンディキャップユーザも給紙トレイのサイズ変更を更に容易に行うことが可能になる。
【００１８】
また、サイズ規制板を移動させる際に押す位置を円錐すり鉢形状にすることにより、操作の目印とすると同時に指で押しやすくすることができ、一般ユーザもハンディキャップユーザも給紙トレイのサイズ変更を更に容易に行うことが可能になる。
【発明を実施するための最良の形態】
【００１９】
（第１の実施例）
図１および図２は本発明のシート給送装置のユニット構成の第１の実施例を示す概略図である。画像形成装置における用紙の給紙搬送および画像形成のプロセスに関しては、従来例と同様であるので省略する。
【００２０】
本実施例では、一般ユーザがサイズ変更のために後端規制板を移動させる際につまむ位置２５ａの他にも、解除レバー上に主にハンディキャップユーザがサイズ変更の操作を行う際の目印となるアイコン２６を刻印している。このアイコン２６は、解除レバーの回動中心２７よりも下方に配置されている。手や指が不自由で、つまむ操作を行うことのできないハンディキャップユーザは、後端規制板を前方（Ｂ）に移動させる時にはこのアイコン２６付近を押すと、解除レバーが回動中心２７を中心に反時計周りに回動してロックが解除される。さらにそのまま解除レバーを押し続けると、後端規制板全体が前方にスムーズにスライドし、所定サイズの位置にまで移動させることができる。
【００２１】
このように、一般ユーザがつまむ位置と別の位置にハンディキャップユーザ用のアイコンを設けることにより、ハンディキャップユーザが給紙トレイのサイズ変更を容易に行うことが可能になる。
【００２２】
また、ハンディキャップユーザ用のアイコンを解除レバー上に設け、アイコン位置を押す操作によって解除レバーのロックを解除する構成をとることにより、つまむ操作を行わずに押す操作だけで給紙トレイのサイズ変更を行うことが可能になる。
【００２３】
（第２の実施例）
図３および図４は本発明のシート給送装置のユニット構成の第２の実施例を示す概略図である。ここではその特徴的な部分だけを示し、その他の構成および作用については第１の実施例と同一なので、説明は省略する。
【００２４】
本実施例では、解除レバー上のハンディキャップユーザが押す操作を行う位置が円錐すり鉢形状２７になっている。ユーザは後端規制板を移動させる際にこの円錐すり鉢形状２７を目印にして押す操作を行う。さらに、円錐すり鉢形状２７は人の指にあわせた大きさになっており、押す操作を行いやすくなっている。
【００２５】
このように、ハンディキャップユーザ用の操作位置を円錐すり鉢形状にすることにより、操作時の目印とすると同時に指で押しやすくすることができ、ハンディキャップユーザが給紙トレイのサイズ変更を容易に行うことが可能になる。
【図面の簡単な説明】
【００２６】
【図１】本発明の第１の実施例に係るシート給送装置の斜視図。
【図２】本発明の第１の実施例に係るシート給送装置の断面図。
【図３】本発明の第２の実施例に係るシート給送装置の斜視図。
【図４】本発明の第２の実施例に係るシート給送装置の断面図。
【図５】従来の画像形成装置の一例を示す断面概略図。
【図６】従来のシート給送装置の一例を示す斜視図。
【図７】従来のシート給送装置の一例を示す斜視図。
【図８】従来のシート給送装置の一例を示す斜視図。
【符号の説明】
【００２７】
２１  給紙トレイ枠体
２２  幅規制板
２３  後端規制板
２４  解除レバー
２５  アイコン（凹凸形状）
２６  アイコン（凹凸形状）
２７  解除レバー回動中心
２８  円錐すり鉢形状
【図１】
2008050080.tif 000003
【図２】
2008050080.tif 000004
【図３】
2008050080.tif 000005
【図４】
2008050080.tif 000006
【図５】
2008050080.tif 000007
【図６】
2008050080.tif 000008
【図７】
2008050080.tif 000009
【図８】
2008050080.tif 000010